(57)【要約】【課題】  使用するシーンをできる限り狭めず、根掛かりもしにくい複合錘を提供する。【解決手段】  釣り糸(20)につなげられて用いる全体形状として紡錘形をなす複合錘(10)である。  釣り糸(20)側に位置する浮力体(15)と、その浮力体(15)から反釣り糸(20)側に位置する金属製の錘体(11)とを備え、  前記の浮力体(15)は、釣り糸(20)側の端部付近が他の部位よりも比重が小さくなるように形成する。錘体(11)における釣り糸(20)側には、釣り糸(20)を繋ぐためのリング(14)を固定しており、  そのリング(14)は、前記の浮力体(15)を貫通させて固定する。【選択図】  図２
2014147334.tif 000002
【特許請求の範囲】
【請求項１】
釣り糸につなげられて用いる全体形状として紡錘形をなす複合錘であって、
釣り糸側に位置する浮力体と、その浮力体から反釣り糸側に位置する金属製の錘体とを備え、
前記の浮力体は、釣り糸側の端部付近が他の部位よりも比重が小さくなるように形成した複合錘。
【請求項２】
釣り糸につなげられて用いる全体形状として紡錘形をなす複合錘であって、
釣り糸側に位置する浮力体と、その浮力体から反釣り糸側に位置する金属製の錘体とを備え、
前記の浮力体は、同一素材にて形成し、釣り糸側の端部付近が他の部位よりも長手方向に垂直な断面が大きくなるように形成した複合錘。
【請求項３】
その錘体における釣り糸側には、釣り糸を繋ぐためのリングを固定しており、  そのリングは、前記の浮力体を貫通させて固定することとした請求項１または請求項２のいずれかに記載の複合錘。
【請求項４】
浮力体における釣り糸側の端部には、釣り糸側の端部付近が他の部位よりも比重を小さくするための浮力部材を固定可能に形成した請求項１から請求項３のいずれかに記載の複合錘。
【発明の詳細な説明】
【技術分野】
【０００１】
本発明は、水中での落下が早く、根掛かりをしにくい釣り用錘に関する。
【背景技術】
【０００２】
釣り用の錘は、釣る対象としている魚の種類によって、更には状況判断などによって、異なった種類のモノを使い分けることが多い。
釣りの種類によっては、水中での落下が早い錘が好まれる。そうした錘は、流線型や紡錘形が主流であり、幅寸法と水底側の端部および釣り竿側の端部の距離とを比べた場合には、幅寸法が小さい。
釣り竿側の端部には、釣り竿につながる道糸が縛り付けられている。
【０００３】
上記の錘は、水底に達した後で、そのまま水底を引き回したりして魚をおびき寄せるような使い方をすることもある。
水底を引き回す場合に問題となるのは、「根掛かり」である。
【０００４】
特許文献１は、潮の流れなどの影響を受けても根掛かりをしにくいＬ型天秤付き釣り用錘の提供する。すなわち、Ｌ型天秤４は、釣り用錘１の長手方向中心軸Ｘに沿って上方に延びる第１のアーム６と、釣り用錘１の長手方向中心軸Ｘに対して垂直な方向に延びる第２のアーム８とを有する。釣り用錘１全体の重心Ｇは、長手方向中心軸Ｘに対して第２のアーム８の延在方向と反対の方向に偏心して位置させる。
【先行技術文献】
【特許文献】
【０００５】
【特許文献１】特開２０１２−１５２２０１号公報
【発明の概要】
【発明が解決しようとする課題】
【０００６】
特許文献１に記載した技術では、Ｌ型天秤を必須としているため、Ｌ型天秤を使わない場合や使いたくない場合には対応できない。
また、天秤そのものが根掛かりの原因となる場合もある。
【０００７】
本発明が解決しようとする課題は、使用するシーンをできる限り狭めず、根掛かりもしにくい複合錘を提供することにある。
【課題を解決するための手段】
【０００８】
（第一の発明）
本願における第一の発明は、釣り糸(20)につなげられて用いる全体形状として紡錘形をなす複合錘(10)であって、  釣り糸(20)側に位置する浮力体(15)と、その浮力体(15)から反釣り糸(20)側に位置する金属製の錘体(11)とを備え、  前記の浮力体(15)は、釣り糸(20)側の端部付近が他の部位よりも比重が小さくなるように形成した複合錘に係る。
【０００９】
（用語説明）
「錘体(11)」は、ＳＵＳ、タングステン、スズ、鉄合金、亜鉛合金、鉛合金などの金属から形成される。
「浮力体(15)」は、ポリエチレン、ポリプロピレンなどの合成樹脂、発泡樹脂などが好ましく採用される。  単一の素材である必要は無く、たとえば、錘体１０に近い側と遠い側とで異なる素材を採用することも可能である。その場合、遠い側の素材を近い側の素材よりも小さな比重の素材を採用する。
浮力体(15)において「釣り糸(20)側の端部付近が他の部位よりも比重が小さくなるように形成」する手段としては、他の請求項で限定する場合の他、素材の発泡率を変化させる、断面積を変化させる、などである。
【００１０】
（作用）
本発明に係る複合錘(10)は、錘体(11)が水底へ付いた場合に、釣り糸(20)が弛んでいても浮力体(15)の比重が小さく、しかも釣り糸(20)側の端部付近が他の部位よりも比重が小さいので、釣り糸(20)側の端部が浮いて水底から離れる。その結果、水底の海草類などに引っ掛かる確率が低下し、結果として根掛かりする確率を低下させる。
釣り人は、リールを少々巻き取ることで釣り糸(20)の弛みをとり、釣り竿を手繰って錘体(11)が水底をはうように引き回したりする。この際にも、本発明に係る複合錘(10)は、全体形状として紡錘形をなしているので、釣り糸(20)側の端部付近が水底から離れていることと相まって、水底の海草類などに引っ掛かる確率が低下し、結果として根掛かりする確率が低下する。
【００１１】
（第二の発明）
本願における第二の発明もまた、釣り糸(20)につなげられて用いる全体形状として紡錘形をなす複合錘(10)に係る。  すなわち、釣り糸(20)側に位置する浮力体(15)と、その浮力体(15)から反釣り糸(20)側に位置する金属製の錘体(11)とを備え、  前記の浮力体(15)は、同一素材にて形成し、釣り糸(20)側の端部付近が他の部位よりも長手方向に垂直な断面が大きくなるように形成する。
【００１２】
「釣り糸(20)側の端部付近が他の部位よりも長手方向に垂直な断面が大きくなる」とは、断面積として大きい場合のほか、断面形状の外形や外径が大きい場合も含む。浮力体(15)が中空の部位を含む場合、含まない場合のいずれであっても、長手方向に垂直な断面が大きくなることで浮力を増大させる趣旨である。
【００１３】
（第一および第二の発明のバリエーション１）
第一の発明は、以下のようなバリエーションを提供することもできる。
すなわち、  その錘体(11)における釣り糸(20)側には、釣り糸(20)を繋ぐためのリング(14)を固定しており、  そのリング(14)は、前記の浮力体(15)を貫通させて固定することしてもよい。
【００１４】
（作用）
錘体(11)が水底に接触した場合、その錘体(11)とリング(14)とは直接つながっており、そのリング(14)と釣り糸(20)とがつながっている。したがって、釣り竿(21)を手繰る釣り人としては、錘体(11)が水底に接触した感触を感じ取りやすい。
【００１５】
（第一および第二の発明のバリエーション２）
第一の発明は、以下のようなバリエーションを提供することもできる。
すなわち、浮力体(15)における釣り糸(20)側の端部には、釣り糸(20)側の端部付近が他の部位よりも比重を小さくするための浮力部材(18)を固定可能に形成してもよい。
【００１６】
（作用）
浮力部材(18)を着脱することで、釣り人にとって好みの浮力や、水中での操作感を選択できる。
【発明の効果】
【００１７】
第一の発明および第二の発明によれば、使用するシーンをできる限り狭めず、根掛かりもしにくい複合錘を提供することができた。
【図面の簡単な説明】
【００１８】
【図１】本発明の実施形態を用いて釣りをする状態を示す斜視図である。
【図２】本発明の第一の実施形態を示す組立斜視図である。
【図３】本発明の第一の実施形態を示す断面図である。
【図４】本発明のバリエーションを示す組立斜視図である。
【発明を実施するための形態】
【００１９】
以下、本発明の実施形態について図面を参照して説明する。  ここで使用する図面は、図１から図4である。
【００２０】
図1には、本発明の実施形態に係る複合錘１０を用いて釣りをする状態を示している。釣り糸２０に固定されるとともに、釣り針や仕掛けなどを固定して用いる。
この複合錘１０は、図2に示すように、釣り糸２０につなげられて用いる全体形状として紡錘形をなす。
亜鉛合金などによる金属製の錘体１１と、その錘体１１における釣り糸２０側に位置する樹脂製の浮力体１５と、別体で形成してはめあわせて固定している。
【００２１】
図２（ｂ）にて示すように、錘体１１における釣り糸２０側には、釣り糸２０を繋ぐためのリング１４を固定している。すなわち、ステンレス綱などによる線材を錘体１１における釣り糸２０側に埋め込み、反錘体１１側の端部がリング状をなすように変形させてリング１４を形成している。
リング１４は、釣り糸２０を固定するほか、天秤、仕掛け、疑似餌など、様々なツールを固定して用いることができる。
【００２２】
図３（ｂ）に示すように、浮力体１５における反錘体１１側の端部には、リング１４の外径と同寸法のスリット状の孔が予め設けられている。リング１４は、浮力体１５の軸方向の中空部分を貫通させ、前記のスリット状の孔を通過させる。そして、通過させた後に充填剤１６にてその孔を塞ぎ、浮力体１５の内方へ空気を閉じこめる。
浮力体１５は、その長手方向に沿ってリング１４に向かうと、その長手方向に垂直な断面形状が小さくなるように先細り、リング１４の直前で再び大径となり、最後に前述のリング１４の部位となる。リング１４の付近は、厚肉に形成しており、浮力体１５の内方が浸水しても浮力が確保できるようになっている。
【００２３】
浮力体１５を上記のように形成しているので、錘体１１が水底へ付いた場合に、釣り糸２０が弛んでいても浮力体１５の比重が小さく、しかも釣り糸２０側の端部付近が他の部位よりも比重が小さい。したがって、釣り糸２０側の端部が確実に浮いて水底から離れる。その結果、水底の海草類などに引っ掛かる確率が低下し、結果として根掛かりする確率を低下させる。
釣り人は、リールを少々巻き取ることで釣り糸２０の弛みをとり、釣り竿を手繰って錘体１１が水底をはうように引き回したりする。この際にも、本発明に係る複合錘１０は、全体形状として紡錘形をなしているので、釣り糸２０側の端部付近が水底から離れていることと相まって、水底の海草類などに引っ掛かる確率が低下し、結果として根掛かりする確率が低下する。
【００２４】
また、錘体１１が水底に接触した場合、その錘体１１とリング１４とは直接つながっており、そのリング１４と釣り糸２０とがつながっている。したがって、釣り糸２０につながった釣り竿２１を手繰る釣り人としては、錘体１１が水底に接触した感触を感じ取りやすい。
【００２５】
図４に示すのは、浮力体１５におけるリング１４側の比重をより小さくするため、着脱自在な浮力部材１８を設けることとした実施形態である。
図４（ａ）に示すのは、浮力体１５の先端に形成した矢印形状の被固定体１７に対して、切り込み部分を備えたＣ字形の浮力部材１８ａを噛み合わせるものである。これで、浮力体１５におけるリング１４側の比重をより小さくする。
【００２６】
図４（ｂ）に示すのは、断面がほぼ三角形をなす浮力部材１８ｂを、部分的に大径をなした被固定体１７に対して、軸方向に押し込んで固定するものである。これによって浮力体１５におけるリング１４側の比重をより小さくする。
図４（ｃ）は、雄ねじ部として形成した被固定体１７に対して、ドーナツリング状をなした内径部分に雌ねじ部を有する浮力部材１８ｃをねじ込んで固定するものである。これによって浮力体１５におけるリング１４側の比重をより小さくする。
【００２７】
図４（ｄ）は、図４（ｃ）の変形例である。すなわち、ドーナツリング状の浮力部材１８ｄの内径部分に雌ねじ部を設けず、浮力部材１８ｄとは別に浮力部材固定具としてのナット１９を備えたものである。
いずれの浮力部材１８も、材質やサイズを異ならせて複数種類を用意しておけば、釣り人が好みの操作感を選択できる。
【産業上の利用可能性】
【００２８】
本発明は、釣り具の製造業、釣り具のレンタル業、アウトドアスポーツのインストラクター事業などにおいて、利用可能性を有する。
【符号の説明】
【００２９】
１０；  複合錘                １１；  錘体
１４；  リング
１５；  浮力体                １６；  充填剤
１７；  被固定部
１８；  浮力部材（１８ａ、１８ｂ、１８ｃ、１８ｄ）
１９；  浮力部材固定具（ナット）
２０；  釣り糸（ライン）      ２１；  釣り竿
【図１】
2014147334.tif 000003
【図２】
2014147334.tif 000004
【図３】
2014147334.tif 000005
【図４】
2014147334.tif 000006